(57)【要約】【課題】  本発明はオイルフィルタに関し、特にオイルフィルタ内に貴陽石を収納し、エンジンオイルの濾過を行うオイルフィルタを提供するものである。【解決手段】  導入口４から入ったエンジンオイルは、フィルタ６を介して貴陽石９の収納部に入り、貴陽石９の有する自然界のエネルギーによって活性化されたエンジンオイルは、更にフィルタ７によって不純物が除去され、出力口５からエンジンに戻される。このように構成することにより、濾過率の向上を図り、エンジンオイルの寿命を延ばすことができる。【選択図】図３
2006070762.tif 000002
【特許請求の範囲】
【請求項１】
エンジンオイルを濾過するフィルタと、
該フィルタとケース間に配設され、前記エンジンオイルにマイナスイオンを付与する貴陽石と、
前記エンジンオイルを導入する導入口と、
該導入口から入力し、前記フィルタ及び貴陽石を通過して不純物が濾過されたエンジンオイルを出力する出力口と、
を有することを特徴とするオイルフィルタ。
【請求項２】
前記貴陽石は所定径の粒状であり、前記フィルタとケース間に配設されていることを特徴とする請求項１記載のオイルフィルタ。
【請求項３】
前記フィルタ内に貴陽石を収納し、前記エンジンオイルの濾過を行うことを特徴とするオイルフィルタ。
【発明の詳細な説明】
【技術分野】
【０００１】
本発明は貴陽石を使用したオイルフィルタに関する。
【背景技術】
【０００２】
今日、自動車や自動二輪車には、エンジンオイルを濾過する為オイルフィルタが使用されている。特許文献１は潤滑オイル中の微細な不純成分の除去を効率よく行うオイルフィルタに関する発明であり、オイル中の微細な不純粒子を濾過し、吸着型濾過材で不純物を除去するオイルフィルタが開示されている。
【特許文献１】特開平２００１−１１３１０６号公報
【発明の開示】
【発明が解決しようとする課題】
【０００３】
しかしながら、上記構成のオイルフィルタでは特殊な濾過材を使用する必要があり、コストアップの原因になる。また、近年マイナスイオンの発生量が他の鉱物より圧倒的に優れ、健康素材としても利用されている貴陽石が注目を集めている。
【０００４】
そこで、本発明は貴陽石をオイルフィルタ内に使用し、オイルの濾過効率を向上し、オイルの寿命を延ばし、エンジン効率を向上するオイルフィルタを提供するものである。
【課題を解決するための手段】
【０００５】
本発明は、上記目的を達成するため、エンジンオイルを濾過するフィルタと、該フィルタとケース間に配設され、前記エンジンオイルにマイナスイオンを付与する貴陽石と、前記エンジンオイルを導入する導入口と、該導入口から入力し、前記フィルタ及び貴陽石を通過して不純物が濾過されたエンジンオイルを出力する出力口とを有するオイルフィルタを提供することによって達成できる。
【０００６】
このように構成することにより、オイルの濾過効率を向上させ、エンジンオイルの寿命を延ばすオイルフィルタを提供することができる。
また、前記貴陽石は所定径の粒状であり、前記フィルタとケース間に収納される構成である。このように構成することにより、貴陽石を使用して構造が簡単で、しかもオイルの濾過効率の高いオイルフィルタを提供することができる。
【０００７】
さらに、本発明は、上記目的を達成するため、フィルタ内に貴陽石を収納し、エンジンオイルの濾過を行うオイルフィルタを提供する構成としてもよい。このように構成しても、装置をコストアップすることなく、オイルの濾過効率を向上させ、エンジンオイルの寿命を延ばすことができる。
【発明の効果】
【０００８】
本発明によれば、オイルの濾過効率を向上させ、エンジンオイルの寿命を延ばすことができる。
また、従来のような高価なフィルタを使用する必要がなく、装置のコストダウンを図ることができる。
【発明を実施するための最良の形態】
【０００９】
以下、本発明の実施の形態を図面を参照しながら説明する。
図１は、本実施形態を説明する図であり、オイルフィルタ１の外観構成を示す。オイルフィルタ１はフィルタケース２と取付部３で構成され、取付部３にはオイルフィルタ１をエンジンに取り付ける為のネジが形成されている。
【００１０】
図２は上記外観構成のオイルフィルタ１の底面を示す図である。オイルフィルタ１の底面は上記取付部３によってエンジンに取り付けられた際のエンジンオイルの導入口と出力口が形成されている。同図に示す４はエンジンオイルの導入口であり、同図に示す５はエンジンオイルの出力口である。導入口４からオイルフィルタ１に入ったエンジンオイルは内部のフィルタによって濾過され、出力口５からエンジンに戻される。
【００１１】
図３は上記構成のオイルフィルタ１の断面図であり、オイルフィルタ１の内部にはフィルタ６と７が配設されている。フィルタ６及び７は、例えば比較的融点の高いポリエステルを主構成材料とする繊維から成るフィルタ用不織布で構成されている。また、フィルタ６及び７をポリテトラフルオロエチレン等のフッ素系ポリマーで構成してもよい。
【００１２】
一方、上記構成のフィルタ６と７で囲まれたスペース８には貴陽石９が収納されている。貴陽石９は数千年前の地核変動に伴う高温熱水作用によって形成された鉱物であり、自然界のエネルギーを一点に凝縮した鉱物である。具体的には、マイナスイオンの発生量が他の鉱物より圧倒的に多く、常温での遠赤外線の放射作用も大きい。
【００１３】
本例においては、この貴陽石を所定径の粒状にして上記オイルフィルタ１のスペース８に収納する。例えば、貴陽石の原石を粉砕して粉末状に加工し、直径２ｍｍ程度の粒径状に焼結したものを上記スペース８に収納する。
【００１４】
このように構成することにより、エンジン内で消耗し汚れたエンジンオイルが導入口４からエンジンオイル１内に入ると、先ずフィルタ６を通過する際不純物が除去される。フィルタ６を通過したエンジンオイルは、次に貴陽石９の収納部を通過する。この時、貴陽石９に含まれるマイナスイオンがエンジンオイルに付与され、貴陽石９の有する自然界のエネルギーがエンジンオイルに吹き込まれる。したがって、エンジンオイルは活性化し、更にフィルタ７を通過して不純物が除かれた後、出力口５からエンジン内に戻される。
【００１５】
以上のように、本発明はオイルフィルタ１内に貴陽石９を収納したので、エンジンオイルが貴陽石のもつ自然界のエネルギーにより活性化され、エンジンオイルの濾過効率を向上させ、エンジンオイルの寿命を延ばすことができる。
【００１６】
尚、本例において、使用する貴陽石９の粒径を２ｍｍとしたが、上記粒径に限定されるわけではなく、他の粒径に加工した貴陽石を使用する構成としてもよい。また、上記構成の貴陽石を使用するオイルフィルタ１の形状も各種サイズのものを使用することができる。
【図面の簡単な説明】
【００１７】
【図１】本実施形態を説明する図であり、オイルフィルタの外観構成図である。
【図２】オイルフィルタの底面図である。
【図３】オイルフィルタの断面図である。
【符号の説明】
【００１８】
１      オイルフィルタ
２      フィルタケース
３      取付部
４      導入口
５      出力口
６、７      フィルタ
８      スペース
９      貴陽石
【図１】
2006070762.tif 000003
【図２】
2006070762.tif 000004
【図３】
2006070762.tif 000005